【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】熱溶融性インクを部分的に溶融して印字を行う印字装置であって、
前記熱溶融性インクが塗布された熱転写フィルムと、
前記熱溶融インクが転写される記録媒体と、
前記熱転写フィルムの交換時等に開閉される開閉蓋と、
前記熱転写フィルムおよび前記記録媒体の搬送経路に設けられ、更にスプリングによって前記熱転写フィルムおよび前記記録媒体の方向に付勢されたレバーを備え、該レバーの変位を検出する検出手段と、
前記搬送経路を挟み前記検出手段とは反対側に位置し、前記開閉蓋に設けられて前記開閉蓋が閉じているときには前記熱転写フィルムを押え込むことによって前記スプリングの付勢力に抗して前記レバーを変位させて前記検出手段に前記熱転写フィルムの検知を行わせ、前記開閉蓋が開放されたときに前記開閉蓋の開放に従って前記レバーの押え込みを解除することによって、前記検出手段に前記開閉蓋の開放の検知を行わせるとともに、前記記録媒体が前記搬送経路に搬送されてくると、前記記録媒体に押圧されて前記熱転写フィルムから離反する方向に移動して前記熱転写フィルムによる前記レバーの押さえ込みを解除することによって前記検出手段に前記記録媒体の検知を行わせる可動手段とを有したことを特徴とする印字装置。
【請求項２】熱溶融性インクを部分的に溶融して印字を行う印字装置であって、
前記熱溶融性インクが塗布された熱転写フィルムと、
前記熱溶融インクが転写される記録媒体と、
前記熱転写フィルムおよび前記記録媒体の搬送経路に設けられ、更にスプリングによって前記熱転写フィルムおよび前記記録媒体の方向に付勢されたレバーを備え、該レバーの変位を検出する検出手段と、
前記搬送経路を挟み前記検出手段とは反対側に位置し、前記開閉蓋に設けられて前記開閉蓋が閉じているときには前記熱転写フィルムを押え込むことによって前記スプリングの付勢力に抗して前記レバーを変位させて前記検出手段に前記熱転写フィルムの検知を行わせるとともに、前記記録媒体が前記搬送経路に搬送されてくると、前記記録媒体に押圧されて前記熱転写フィルムから離反する方向に移動して前記熱転写フィルムによる前記レバーの押さえ込みを解除することによって前記検出手段に前記記録媒体の検知を行わせる可動手段とを有したことを特徴とする印字装置。
【請求項３】加熱により印字を行う印字装置であって、
熱溶融性インクが塗布された熱転写フィルムまたは感熱紙と、
前記熱転写フィルムまたは前記感熱紙の交換時等に開閉される開閉蓋と、
前記熱転写フィルムまたは前記感熱紙の搬送経路に設けられ、更にスプリングによって前記熱転写フィルムまたは前記感熱紙の方向に付勢されたレバーを備え、該レバーの変位を検出する検出手段と、
前記搬送経路を挟み前記検出手段とは反対側に位置し、前記開閉蓋に設けられて前記開閉蓋が閉じているときには前記熱転写フィルムまたは前記感熱紙を押え込むことによって前記スプリングの付勢力に抗して前記レバーを変位させて前記検出手段に前記熱転写フィルムまたは前記感熱紙の検知を行わせ、前記開閉蓋が開放されたときに前記開閉蓋の開放に従って前記レバーの押え込みを解除することによって、前記検出手段に前記開閉蓋の開放の検知を行わせる可動手段とを有することを特徴とする印字装置。
【請求項４】前記開閉蓋の略上方に設けられた原稿読み取り部と、
前記開閉蓋の開閉を可能にする開閉解除手段と、
前記原稿読み取り部に設けられ前記開閉解除手段を作動させる原稿蓋と、
該原稿蓋の原稿幅領域外に設けたマーキングと、
前記原稿蓋が閉じられたときのみ前記マーキングを検出するマーキング検出手段とを有し、前記マーキング検出手段が前記マーキングを検出したときのみ印字を可能とすることを特徴とする請求項１から３のいずれかに記載の印字装置。
【手続補正２】
【補正対象書類名】明細書
【補正対象項目名】００２２
【補正方法】変更
【補正の内容】
【００２２】
【課題を解決するための手段】
この課題を解決するために、本発明の印字装置は、熱溶融性インクを部分的に溶融して印字を行う印字装置であって、熱溶融性インクが塗布された熱転写フィルムと、熱溶融インクが転写される記録媒体と、熱転写フィルムの交換時等に開閉される開閉蓋と、熱転写フィルムおよび記録媒体の搬送経路に設けられ、更にスプリングによって熱転写フィルムおよび記録媒体の方向に付勢されたレバーを備え、レバーの変位を検出する検出手段と、搬送経路を挟み検出手段とは反対側に位置し、開閉蓋に設けられて開閉蓋が閉じているときには熱転写フィルムを押え込むことによってスプリングの付勢力に抗してレバーを変位させて検出手段に熱転写フィルムの検知を行わせ、開閉蓋が開放されたときに開閉蓋の開放に従ってレバーの押え込みを解除することによって、検出手段に開閉蓋の開放の検知を行わせるとともに、記録媒体が搬送経路に搬送されてくると、記録媒体に押圧されて熱転写フィルムから離反する方向に移動して熱転写フィルムによるレバーの押さえ込みを解除することによって検出手段に記録媒体の検知を行わせる可動手段とを有し、開閉蓋が開放されたときには可動手段は開閉蓋に従ってレバーから離反する方向に移動するようにしたものである。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】変更
【補正の内容】
【００２６】
【発明の実施の形態】
本発明の請求項１に記載の発明は、熱溶融性インクを部分的に溶融して印字を行う印字装置であって、熱溶融性インクが塗布された熱転写フィルムと、熱溶融インクが転写される記録媒体と、熱転写フィルムの交換時等に開閉される開閉蓋と、熱転写フィルムおよび記録媒体の搬送経路に設けられ、更にスプリングによって熱転写フィルムおよび記録媒体の方向に付勢されたレバーを備え、レバーの変位を検出する検出手段と、搬送経路を挟み検出手段とは反対側に位置し、開閉蓋に設けられて開閉蓋が閉じているときには熱転写フィルムを押え込むことによってスプリングの付勢力に抗してレバーを変位させて検出手段に熱転写フィルムの検知を行わせ、開閉蓋が開放されたときに開閉蓋の開放に従ってレバーの押え込みを解除することによって、検出手段に開閉蓋の開放の検知を行わせるとともに、記録媒体が搬送経路に搬送されてくると、記録媒体に押圧されて熱転写フィルムから離反する方向に移動して熱転写フィルムによるレバーの押さえ込みを解除することによって検出手段に録媒体の検知を行わせる可動手段とを有する印字装置であり、熱転写フィルムの交換時期、開閉蓋の開閉状態、ならびに記録紙の検知を一つの検出手段で行うことが可能になるという作用を有する。
【手続補正６】
【補正対象書類名】明細書
【補正対象項目名】００２７
【補正方法】変更
【補正の内容】
【００２７】
本発明の請求項２に記載の発明は、熱溶融性インクを部分的に溶融して印字を行う印字装置であって、熱溶融性インクが塗布された熱転写フィルムと、熱溶融インクが転写される記録媒体と、熱転写フィルムおよび記録媒体の搬送経路に設けられ、更にスプリングによって熱転写フィルムおよび記録媒体の方向に付勢されたレバーを備え、レバーの変位を検出する検出手段と、搬送経路を挟み検出手段とは反対側に位置し、開閉蓋に設けられて開閉蓋が閉じているときには熱転写フィルムを押え込むことによってスプリングの付勢力に抗してレバーを変位させて検出手段に熱転写フィルムの検知を行わせるとともに、記録媒体が搬送経路に搬送されてくると、記録媒体に押圧されて熱転写フィルムから離反する方向に移動して熱転写フィルムによるレバーの押さえ込みを解除することによって検出手段に記録媒体の検知を行わせる可動手段とを有する印字装置であり、一つの検出手段により熱転写フィルムの交換時期および記録媒体を検知することが可能になる。これにより、部品点数を削減して生産コストを削減することが可能になるという作用を有する。
本発明の請求項３に記載の発明は、加熱により印字を行う印字装置であって、熱溶融性インクが塗布された熱転写フィルムまたは感熱紙と、熱転写フィルムまたは感熱紙の交換時等に開閉される開閉蓋と、熱転写フィルムまたは感熱紙の搬送経路に設けられ、更にスプリングによって熱転写フィルムまたは感熱紙の方向に付勢されたレバーを備え、レバーの変位を検出する検出手段と、搬送経路を挟み検出手段とは反対側に位置し、開閉蓋に設けられて開閉蓋が閉じているときには熱転写フィルムまたは感熱紙を押え込むことによってスプリングの付勢力に抗してレバーを変位させて検出手段に熱転写フィルムまたは感熱紙の検知を行わせ、開閉蓋が開放されたときに開閉蓋の開放に従ってレバーの押え込みを解除することによって、検出手段に開閉蓋の開放の検知を行わせる可動手段とを有する印字装置であり、一つの検出手段により熱転写フィルムまたは感熱紙の交換時期と開閉蓋の開閉状態を検知することが可能になる。これにより、部品点数を削減して生産コストを削減することが可能になるという作用を有する。
【手続補正７】
【補正対象書類名】明細書
【補正対象項目名】００２８
【補正方法】変更
【補正の内容】
【００２８】
本発明の請求項４に記載の発明は、請求項１から３記載の発明の何れかにおいて、開閉蓋の略上方に設けられた原稿読み取り部と、開閉蓋の開閉を可能にする開閉解除手段と、原稿読み取り部に設けられ開閉解除手段を作動させる原稿蓋と、原稿蓋の原稿幅領域外に設けたマーキングと、原稿蓋が閉じられたときのみマーキングを検出するマーキング検出手段とを有し、マーキング検出手段がマーキングを検出したときのみ印字を可能とする印字装置であり、開閉蓋を開ける場合には必ず原稿読み取り部の原稿蓋を開けなければならず、原稿蓋を開けるとマーキングが検出されなくなって印字動作が停止されるので、開閉蓋が開いていても印字動作が実行されて印字不良となる不都合が未然に防止されるという作用を有する。
【手続補正８】
【補正対象書類名】明細書
【補正対象項目名】００４９
【補正方法】変更
【補正の内容】
【００４９】
【発明の効果】
以上のように、本発明によれば、熱転写フィルムの交換時期、開閉蓋の開閉状態、ならびに記録紙の検知を一つの検出手段で行うことが可能になるという有効な効果が得られる。